(57)【要約】【課題】  デジタルテレビジョン放送受信装置の動作や処理（例えば、ＴＶの画質設定処理や解像度設定処理や音声処理が通常と違う処理）に合わせて、ダイナミックにＥＤＩＤの値を変える。【解決手段】  デジタルテレビジョン放送受信装置１１１内のＨＤＭＩ処理ＩＣ１は、ＥＤＩＤを記憶する書き換え可能な第１のＥＤＩＤメモリ１２を内蔵している。ＨＤＭＩ処理ＩＣ１の外付けで不揮発性の第２のＥＤＩＤメモリ３が接続されている。コントローラ１４は、テレビジョン受信回路が動作状態のときに前記第１のＥＤＩＤメモリのＥＤＩＤを読出し可能に設定し、非動作状態のときに前記第２のＥＤＩＤメモリのＥＤＩＤを読出し可能に設定する。【選択図】      図１
2008252819.tif 000002
【特許請求の範囲】
【請求項１】
テレビジョン受信回路と、
ＥＤＩＤを記憶する書き換え可能な第１のＥＤＩＤメモリを内蔵したＨＤＭＩレシーバチップと、
前記ＨＤＭＩレシーバチップに接続された不揮発性の第２のＥＤＩＤメモリと、
前記テレビジョン受信回路が動作状態のときに前記第１のＥＤＩＤメモリのＥＤＩＤを読出し可能に設定し、非動作状態のときに前記第２のＥＤＩＤメモリのＥＤＩＤを読出し可能に設定する制御手段とを備えたことを特徴とするテレビジョン受信装置。
【請求項２】
テレビジョン受信回路と、
ＥＤＩＤを記憶する書き換え可能な第１のＥＤＩＤメモリを内蔵したＨＤＭＩレシーバチップと、
前記ＨＤＭＩレシーバチップに接続された不揮発性の第２のＥＤＩＤメモリと、
前記テレビジョン受信回路の電源がオン状態のときに前記第１のＥＤＩＤメモリのＥＤＩＤを読出し可能に設定し、オフ状態のときに前記第２のＥＤＩＤメモリのＥＤＩＤを読出し可能に設定する制御手段とを備えたことを特徴とするテレビジョン受信装置。
【請求項３】
テレビジョン受信回路と、
ＨＤＭＩ入力端子と、
ＥＤＩＤを記憶する書き換え可能な第１のＥＤＩＤメモリを内蔵したＨＤＭＩレシーバチップと、
前記ＨＤＭＩレシーバチップに接続された不揮発性の第２のＥＤＩＤメモリと、
前記テレビジョン受信回路の入力が、前記ＨＤＭＩ端子からの入力信号を選択しているときに前記第１のＥＤＩＤメモリのＥＤＩＤを読出し可能に設定し、前記ＨＤＭＩ端子からの入力信号を非選択のときに前記第２のＥＤＩＤメモリのＥＤＩＤを読出し可能に設定する制御手段とを備えたことを特徴とするテレビジョン受信装置。
【請求項４】
通常と違う、画質設定処理，解像度設定処理，音声処理時に、この処理に合わせて前記書き換え可能な第１のＥＤＩＤメモリが記憶するＥＤＩＤを変えることを特徴とする請求項１乃至３のいずれか１項記載のテレビジョン受信装置。
【発明の詳細な説明】
【技術分野】
【０００１】
この発明は、テレビジョン放送受信装置に関し、特にＥＤＩＤを記憶するメモリデバイスを備えたテレビジョン放送受信装置に関する。
【背景技術】
【０００２】
従来のディスプレイ装置として、ディスプレイ装置の表示フォーマットの対応するＥＤＩＤ（Extended display identification data）を記憶するメモリデバイスを備える技術が知られている（例えば、特許文献１参照）。
【０００３】
また、ディスプレイシステムとして、ディスプレイ装置とディスプレイアダプタとの間で制御コードを通信し合い、ディスプレイを認識する技術が知られている（例えば、特許文献２参照）。
【０００４】
上記の発明ではディスプレイ装置とディスプレイアダプタ間の接続における制御信号について書かれているが、ＴＶ側のＥＤＩＤの構成や選択およびその制御などについては書かれていない。
【０００５】
また、複数のＥＤＩＤをスイッチで切り替えて用いる技術が知られている（例えば、特許文献３参照）。
この特許文献３においては、民生機器に対応するＥＤＩＤを格納するＣＥ（Consumer Electronics）対応ＥＤＩＤメモリ部と、パーソナルコンピュータに対応するＥＤＩＤを格納するＰＣ(Personal computer)対応ＥＤＩＤメモリ部のメモリ切替えについて開示されている。
【０００６】
しかし、ＥＤＩＤをデジタルテレビジョン放送受信装置の動作や処理（例えば、ＴＶの画質設定処理や解像度設定処理や音声処理が通常と違う処理）に合わせてダイナミックに設定させることができないという問題があった。
【特許文献１】特開２００６−１２６８２９号公報
【特許文献２】特開平０９−１２８１８２号公報
【特許文献３】ＷＯ２００５／０２２５０４号公報
【発明の開示】
【発明が解決しようとする課題】
【０００７】
従来のディスプレイ装置においては、デジタルテレビジョン放送受信装置の動作や処理に合わせてＥＤＩＤをダイナミックに設定することにより、受信するソース信号を受信に最適な状態を指定してデジタルテレビジョン放送受信装置が受信を行うことが出来ないという問題があった。
【課題を解決するための手段】
【０００８】
上記の目的を達成するために、この発明においては、（請求項）を提供する。
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、ＥＤＩＤをＴＶ動作または処理に合わせてダイナミックに設定させることが可能となり、これにより受信するソース信号を受信に最適な状態を指定して受信を行い、表示品位を向上することが出来る、ディスプレイ装置を得ることができる。
【発明を実施するための最良の形態】
【００１０】
以下、図面を参照しながら本発明の実施形態について説明する。
図１は、本発明のテレビジョン受信セットに使用しているＨＤＭＩ回路構成の一実施例を説明するための図である。
図１において、ＨＤＭＩ回路は、ＨＤＭＩ処理ＩＣ１、ＨＤＭＩ信号入力コネクタ２、第２のＥＤＩＤメモリ３から構成されている。
ＨＤＭＩ処理ＩＣ１は、ＨＤＭＩレシーバ部１１、第１のＥＤＩＤメモリ１２、セレクタ１３、コントローラ１４から構成されている。
ＨＤＭＩレシーバ部１１は、第１のＥＤＩＤメモリ１２を有している。このＨＤＭＩレシーバ部１１は、デジタルテレビジョン放送受信装置１１１の電源ＯＦＦ時やＨＤＭＩ入力非選択時、ＨＤＭＩレシーバ部１１が、例えば電源が投入されない等して動作しないよう構成されている。
【００１１】
予め第１のＥＤＩＤメモリ１２および第２のＥＤＩＤメモリ３には、デジタルテレビジョン放送受信装置１１１の受信セットとしての表示に合わせたＥＤＩＤが記憶されている。
【００１２】
ＨＤＭＩ処理ＩＣ１の内部側に設けられている第１のＥＤＩＤメモリ１２のデータは、ＴＶ動作モードや処理に合わせて、コントローラ１４によってダイナミックにデータの内容を変更可能に構成されている。この“ＴＶ動作モードや処理”とは、例えば、ＴＶでスペシャル画質設定時や東芝オリジナルモード等、ＴＶの画質設定処理や解像度設定処理や音声処理が通常と違う場合に、外部機器に対してＥＤＩＤの内容を変えてあげる場合などが考えられる。
【００１３】
これに対し、ＨＤＭＩ処理ＩＣ１の外部側に設けられている第２のＥＤＩＤメモリ３は、ＲＯＭ等から構成されており、予め決められた固定値が用いられる。ＥＤＩＤのデータ構成は規格ＥＩＡ／ＣＥＡ−８６１Ｂに規定されている。この予め決められた固定値としては、ＴＶセットの初期動作設定に合わせたものとなっている。
【００１４】
セレクタ１３は、第１のＥＤＩＤメモリ１２と第２のＥＤＩＤメモリ３とのメモリの選択を行う。
コントローラ１４は、ＨＤＭＩレシーバ部１１の制御を行う。
次に、このように構成されたデジタルテレビジョン放送受信装置１１１のＥＤＩＤとして、どちらのＥＤＩＤメモリを用いるかの切替え動作について説明を行う。
まず、ＨＤＭＩ信号入力コネクタ２に、外部のＡＶ機器が接続されると、外部のＡＶ機器からＨＤＭＩ信号５１が入力される。
ＨＤＭＩ信号入力コネクタ２は、外部のＡＶ機器から入力されたＨＤＭＩ信号５１を、ＨＤＭＩレシーバ部１１および第２のＥＤＩＤメモリ３へ供給する。そしてＨＤＭＩ信号入力コネクタ２は、ＨＤＭＩ信号５１に含まれるＥＤＩＤのアクセス信号５２を、ＨＤＭＩレシーバ部１１および第２のＥＤＩＤメモリ３へ供給する。
【００１５】
第１のＥＤＩＤメモリ１２と、第２のＥＤＩＤメモリ３の選択の切替え制御については、ＨＤＭＩ処理ＩＣ１内のコントローラ１４により制御される。なお、コントローラ１４はデジタルテレビジョン放送受信装置１１１内の制御部２６１からの制御信号により制御される。
【００１６】
ここで図２を用いてＨＤＭＩ処理ＩＣ１内のコントローラ１４の動作を説明する。
図２はＨＤＭＩ処理ＩＣ１内のコントローラ１４の動作を説明するためのフローチャートである。
ＨＤＭＩ処理ＩＣ１内のコントローラ１４は、デジタルテレビジョン放送受信装置１１１の電源ＯＮ時やＨＤＭＩ入力選択時、ＨＤＭＩレシーバ部１１が動作している場合（ステップＳ２０１のＹｅｓ）は、ＨＤＭＩ処理ＩＣ１の内部側に設けられている第１のＥＤＩＤメモリ１２を使うよう制御する（ステップＳ２０２）。
【００１７】
またＨＤＭＩ処理ＩＣ１内のコントローラ１４は、デジタルテレビジョン放送受信装置１１１のＴＶ電源ＯＦＦ時またはＴＶのＨＤＭＩ入力非選択時等、ＨＤＭＩレシーバ部１１が動作しない場合（ステップＳ２０１のＮｏ）は、ＨＤＭＩ処理ＩＣ１の外部側に設けられている第２のＥＤＩＤメモリ３を使うよう制御する（ステップＳ２０３）。
【００１８】
メモリ選択を行うセレクタ１３は、ＨＤＭＩ処理ＩＣ１の内部側に設けられている第１のＥＤＩＤメモリ１２を使用する場合は、第１のＥＤＩＤメモリ１２の選択信号５４を動作可能（イネーブル：Enable）状態にして、ＨＤＭＩ処理ＩＣ１の外部側に設けられている第２のＥＤＩＤメモリ３の選択信号５３を無能（ディセーブル：Disable）状態にする。
【００１９】
逆にメモリ選択を行うセレクタ１３は、ＨＤＭＩ処理ＩＣ１の外部側に設けられている第２のＥＤＩＤメモリ３を使用する場合は、第１のＥＤＩＤメモリ１２の選択信号５４を無能（ディセーブル：Disable）状態にして、ＨＤＭＩ処理ＩＣ１の外部側に設けられている第２のＥＤＩＤメモリ３の選択信号５３を動作可能（イネーブル：Enable）状態にする。
【００２０】
先にも説明したが、ＨＤＭＩ処理ＩＣ１の内部側に設けられている第１のＥＤＩＤメモリ１２のデータは、ＴＶ動作モードやまたＴＶの動作処理に合わせて、コントローラ１４によってダイナミックにデータの内容を変更可能に構成されている。
【００２１】
ＨＤＭＩ処理ＩＣ１の内部側に設けられているコントローラ１４は、ＴＶ動作モードやＴＶの動作処理に合わせて、ＨＤＭＩレシーバ部１１の制御を行う。
コントローラ１４は、データ信号５５により第１のＥＤＩＤメモリ１２をアクセスし、デジタルテレビジョン放送受信装置１１１のＴＶ動作や処理に合わせたＥＤＩＤへ書き換える。
【００２２】
以上の処理により、例えばユーザの選択されたＴＶの動作モードに合わせてＨＤＭＩ受信のＥＤＩＤを変更また選択して内部のＥＤＩＤメモリに設定することにより、複数のＥＤＩＤへの変更の切り換えをダイナミックに行うことが出来る。
【００２３】
以上の実施例で説明したように本発明によればＴＶ動作また処理に合わせてＥＤＩＤの設定を行うことが可能となり、これにより受信するソース信号を受信に最適な状態を指定して受信を行い、表示品位を向上することが出来る。
【００２４】
ここでいう“最適な状態を指定”とは、例えば、オリジナルモードやスペシャル設定時等で、ＴＶの画質設定処理や解像度設定処理や音声処理にＥＤＩＤのデータにある解像度情報や音声遅延データなどを、ＴＶセットの設定状態や処理状態に最適な値を指定させることをいう。
【００２５】
本発明のデジタルテレビジョン放送受信装置１１１のＨＤＭＩシステムにおいてはＥＤＩＤ用のメモリとして、ＨＤＭＩレシーバ部１１（Ｒｘ）の内部に内部側ＥＤＩＤメモリ、ＨＤＭＩレシーバ部１１（Ｒｘ）の外部に外部側ＥＤＩＤメモリを備えている。
【００２６】
どちらのＥＤＩＤメモリを用いるかについては制御部２６１が制御する。
外部側ＥＤＩＤメモリ（例えばＲＯＭで構成する）は、デジタルテレビジョン放送受信装置１１１の電源ＯＦＦ時およびデジタルテレビジョン放送受信装置１１１のＨＤＭＩ入力非選択時に使用する。
【００２７】
内部側ＥＤＩＤメモリ（ＲＡＭで構成する）は、デジタルテレビジョン放送受信装置１１１の電源ＯＮ時およびデジタルテレビジョン放送受信装置１１１のＨＤＭＩ入力選択時に使用する。
【００２８】
本発明では、内部側ＥＤＩＤメモリ（ＲＡＭで構成する）と外部側ＥＤＩＤメモリ（例えばＲＯＭ）のどちらを有効にするか、任意に切替えられるシステムとなっている。
【００２９】
本発明のデジタルテレビジョン放送受信装置１１１では、制御部２６１がデジタルテレビジョン放送受信装置１１１の動作や処理に合わせて、内部側ＥＤＩＤメモリのＥＤＩＤをダイナミックに設定する。
【００３０】
以上説明したとおり、本発明によれば、受信するソース信号を、受信に最適な状態を指定してデジタルテレビジョン放送受信装置１１１が受信を行うことが出来るので、表示品位を向上することができる。
【００３１】
次に、このＨＤＭＩ回路を含むデジタルテレビジョン放送受信装置全体の構成について、図３および図４を用いて詳細に説明する。
図３は、この発明を適用したデジタルテレビジョン放送受信装置１１１の外観と、このデジタルテレビジョン放送受信装置１１１を中心として構成されるネットワークシステムの一例を概略的に示している。
【００３２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００３３】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００３４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００３５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００３６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００３７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００３８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００３９】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００４０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００４１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００４２】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００４３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００４４】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００４５】
図４は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００４６】
チューナ２４５ａは、制御部２６１からの制御信号により所望のチャンネルの放送信号を選局し、この選局された放送信号をＰＳＫ（Phase Shift Keying）復調器２４５ｂに出力する。
【００４７】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００４８】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００４９】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００５０】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００５１】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００５２】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００５３】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００５４】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００５５】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００５６】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００５７】
また、字幕放送による字幕を表示するとき、グラフィック処理部２５４は、制御部２６１からの制御による字幕情報に基づき、映像信号上に字幕情報を重畳する処理を行う。
【００５８】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００５９】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００６０】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００６１】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００６２】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００６３】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００６４】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００６５】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図３参照）と、通信Ｉ／Ｆ２７０を介して情報伝送することができる。
【００６６】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図３参照）と、ＵＳＢ  Ｉ／Ｆ２７１を介して情報伝送することができる。
【００６７】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図３参照）と、ｉ．ＬＩＮＫ  Ｉ／Ｆ２７２を介して情報伝送することができる。
【００６８】
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００６９】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００７０】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００７１】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００７２】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００７３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７４】
【図１】本発明のテレビジョン受信セットに使用しているＨＤＭＩ回路構成の一実施例を説明するための図である。
【図２】ＨＤＭＩ処理ＩＣ１内のコントローラ１４の動作を説明するためのフローチャートである。
【図３】本発明を適用したデジタルテレビジョン放送受信装置１１１の外観と、このデジタルテレビジョン放送受信装置１１１を中心として構成されるネットワークシステムを説明するための図。
【図４】デジタルテレビジョン放送受信装置１１１の主要な信号処理系を示す図。
【符号の説明】
【００７５】
１…ＨＤＭＩ処理ＩＣ、２…ＨＤＭＩ信号入力コネクタ、３…第２のＥＤＩＤメモリ、１１…ＨＤＭＩレシーバ部、１２…第１のＥＤＩＤメモリ、１３…セレクタ、１４…コントローラ、１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ、２６１…制御部。
【図１】
2008252819.tif 000003
【図２】
2008252819.tif 000004
【図３】
2008252819.tif 000005
【図４】
2008252819.tif 000006